(57)【要約】【課題】立体格子状クッションの構造に工夫を凝らして、高い体圧分散性を有するとともに通気性に優れた立体格子状クッションを提供する。【解決手段】立体格子状クッション１は、左右方向に連なる第１棒状材Ａと、奥行方向に連なる第２棒状材Ｂと、が交互に積層して構成される。第１棒状材Ａ及び第２棒状材Ｂは互いに離間しており、離間した隙間による風通しによって通気性を確保し、また、体圧により生じる棒状材の変形を離間した隙間で受けることによって体圧分散性を確保する。また、立体格子状クッション１は一端から他端にかけて湾曲形状を呈していることから、湾曲部分を利用することで使用者の体型や体格に容易に適合することや、使用者の所望する敷き心地に適応することが可能であり、高い体圧分散性を有する。湾曲形状は、第２棒状材のうちＢ２７を間引きしたり、第１棒状材のうちＡ１３の長さを途中までで間引きしたりすることで形成している。【選択図】図１
2020028710.tif 000002
【特許請求の範囲】
【請求項１】
複数の棒状材を格子状に接合し、前記棒状材は、第１の方向に連なる第１棒状材と第２の方向に連なる第２棒状材とを交互に積層したことを特徴とする立体格子状クッション。
【請求項２】
前記第１棒状材及び前記第２棒状材の積層間に、ワイヤーネット又は緩衝材を配置していることを特徴とする請求項１記載の立体格子状クッション。
【請求項３】
一端から他端にかけて湾曲形状を呈していることを特徴とする請求項１又は２記載の立体格子状クッション。
【請求項４】
前記第１棒状材及び／又は前記第２棒状材の積層数を漸減していることを特徴とする請求項１から３のいずれか記載の立体格子状クッション。
【請求項５】
最上面に位置する前記第１棒状材又は前記第２棒状材に突起物を凸設したことを特徴とする請求項１から４のいずれか記載の立体格子状クッション。
【発明の詳細な説明】
【技術分野】
【０００１】
本発明は、使用者の自重による反発力を和らげる高い体圧分散性を有するとともに、複数の棒状材を離間して接合した通気性に優れた立体格子状クッションに関する。
【背景技術】
【０００２】
従来の立体格子状クッションとしては、特許文献１に示すように、上方が開口し、区画された空間であるセルが形成された立体格子状の隔壁からなるものが存在する。この立体格子状クッションは、セル内にパッドを挿入することで、座る人の体重による体圧を分散させ、座る人の体重による隔壁の潰れを減少させるものである。
【先行技術文献】
【特許文献】
【０００３】
【特許文献１】実用新案登録第３２１１１１１号公報
【発明の概要】
【発明が解決しようとする課題】
【０００４】
しかしながら、特許文献１の立体格子状クッションは、全体形状が平面視四角形の板状であり、体圧分散をセル内に挿入されるパッドで調整している。また、パッドには、腰部支持パッド、骨盤支持パッド、内転防止パッド、外転防止パッド、大腿調整パッドがある。すなわち、体圧分散性を確保するためには、様々なパッドを適所に挿入しなければならないことから、個々の使用者に適合するためにはパッドの配置等の試行錯誤を要する。
【０００５】
また、上方が開口されて区画されたセル内にパッドを挿入することから、上方の開口が埋められることで通気性が阻害され、パッド自体に通気性を持たせることで通気性を確保しようとしているが、通気性の劣化は免れない。
【０００６】
本発明は、前記課題に鑑みてなされたものであり、立体格子状クッションの構造に工夫を凝らして、高い体圧分散性を有するとともに通気性に優れた立体格子状クッションを提供する。
【課題を解決するための手段】
【０００７】
上記目的を達成するため、本発明は、以下のものを提供する。
【０００８】
（１）  複数の棒状材を格子状に接合し、前記棒状材は、第１の方向に連なる第１棒状材と第２の方向に連なる第２棒状材とを交互に積層した立体格子状クッション。
【０００９】
本発明によれば、立体格子状クッションは、複数の棒状材を格子状に接合していることから、格子隙間による風通しが良く、通気性を確保することができる。特に、上下左右表裏の全方向に隙間があることから、熱が内部に籠ることがなく、また効果的に熱を逃がすことができる。また、体圧により生じる棒状材の変形を隙間で受けることができ、体圧分散性を確保することができる。
【００１０】
また、第１棒状材と第２棒状材を格子状に交互に積層し、第１棒状材同士又は第２棒状材同士は離間していることから、人体の接地面は離間した第１棒状材又は第２棒状材であり人体との接地面積が離間した分だけ少なく約１／２となる。このため、接地面に長時間接しても痛くなく、苦痛を和らげることができる。
【００１１】
また、隙間の間隔を調整したり、積層数を調整することにより、使用者の所望するクッションを仕立てあげることができる。体格や体重に応じた調整が可能である。
【００１２】
（２）  前記第１棒状材及び前記第２棒状材の積層間に、ワイヤーネット又は緩衝材を配置していることを特徴とする立体格子状クッション。
【００１３】
本発明によれば、第１棒状材及び第２棒状材の積層間に、ワイヤーネット又は緩衝材を配置していることから、耐潰性に優れ体圧分散性を効果的に発揮することができる。また、立体格子状クッションの強度を上げることができる。
【００１４】
（３）  一端から他端にかけて湾曲形状を呈していることを特徴とする立体格子状クッション。
【００１５】
本発明によれば、立体格子状クッションは一端から他端にかけて傾斜した湾曲形状を呈していることから、湾曲部分を利用することで使用者の体型や体格に容易に適合することや、使用者の所望する敷き心地に適応することが可能であり、高い体圧分散性を有する。
【００１６】
（４）  前記第１棒状材及び／又は前記第２棒状材の積層数を漸減していることを特徴とする立体格子状クッション。
【００１７】
本発明によれば、第１棒状材及び／又は第２棒状材の積層数を漸減することによって、湾曲形状を呈することができる。第１棒状材及び第２棒状材を積層した場合に、湾曲形状の形成を阻害する第１棒状材や第２棒状材を間引いたり欠落させることで本数を漸減する。
【００１８】
（５）  最上面に位置する前記第１棒状材又は前記第２棒状材に突起物を凸設したことを特徴とする立体格子状クッション。
【００１９】
本発明によれば、立体格子状クッションの最上面に突起物を凸設したことから、突起物によるツボ押しを付加することで、心地良さを味わうことができる。また、立体格子状クッションの最上面に位置する前記第１棒状材又は前記第２棒状材に突起物収容穴を形成することで、かかる突起物収容穴に突起物を容易に収容でき、突起物によるツボ押しを簡単に実現することができる。
【発明の効果】
【００２０】
本発明によれば、別部品を使用することなく、複数の棒状材を離間して接合するという工夫された形状の立体格子状クッションによって、クッション性を損なわずに優れた通気性及び体圧分散性を確保できるという効果を有する。
【図面の簡単な説明】
【００２１】
【図１】本実施形態に係る立体格子状クッションの正面（背面）図。
【図２】本実施形態に係る立体格子状クッションの平面図。
【図３】本実施形態に係る立体格子状クッションの底面図。
【図４】本実施形態に係る立体格子状クッションの左側面図。
【図５】本実施形態に係る立体格子状クッションの右側面図。
【図６】本実施形態に係る立体格子状クッションに突起物を装着した様子を示す図。
【図７】突起物の形状の例を示す図。
【図８】本実施形態に係る立体格子状クッションの外観斜視図。
【図９】本実施形態に係る立体格子状クッションの外観斜視図。
【図１０】本実施形態に係る立体格子状クッションの外観斜視図。
【発明を実施するための最良の形態】
【００２２】
［第１の例］
図１〜図５は、本実施形態に係る立体格子状クッション１の外観構成を示す図であり、図１は正面図（背面図）図２は平面図、図３は底面図、図４は左側面図、図５は右側面図である。なお、図示する立体格子状クッション１は湾曲形状を呈するものであるが、普通のクッションのように矩形や丸形など湾曲形状を呈しないものであってもよい。また、立体格子状クッションは、医療介護用のほか、車の座席や椅子の座面に配置するシートクッション、キッチンマットやダイニングマット等の各種マット、マットレスなどに使用可能である。
【００２３】
立体格子状クッション１は、図１を参照して、図示左右方向（第１の方向）に連なる第１棒状材Ａと、図示紙面奥行方向（第２の方向）に連なる第２棒状材Ｂと、が交互に積層して格子状に構成される。複数の第１棒状材Ａは離間して配置され、複数の第２棒状材Ｂは離間して配置される。このように複数の棒状材が離間していることから、一の棒状材に印加された力が他の棒状材に伝わりにくく、高い分散性を発揮することができる。第１棒状材Ａ及び第２棒状材Ｂは、通気性のある低反発の軟質ウレタンや軟質ポリエステル等を主材料とした耐潰性の高い材質であり、基本的には矩形の棒状材である。また、ウレタンやポリエステル等を硬質の材質とすることもできる。傾斜した湾曲形状を呈するために、第１棒状材Ａ，第２棒状材Ｂを先細りさせたり、三角形状や台形形状にしたりすることもできる。
【００２４】
また、下部に位置する第１棒状材Ａ，第２棒状材Ｂの材質を上部に比して硬いものとし、上部側に位置する第１棒状材Ａ，第２棒状材Ｂの材質を下部側に比して軟らかいものとすることで、人体に接地する上部は当り心地がよく、床等に接地する下部は耐潰性を確保することができる。さらに、湾曲箇所の端の方では第１棒状材Ａ，第２棒状材Ｂの材質を軟らかいものとすることで、人体への当り心地をよくすることができる。
【００２５】
また、第１棒状材Ａ，第２棒状材Ｂの高さを上部側は低いもの、下部側は高いものとすることでも、厚みによって硬い軟らかい状態とすることができる。このように、第１棒状材Ａ，第２棒状材Ｂの素材や材質、大きさなどを適宜調整することによって、使用者の体格や体型等に応じた立体格子状クッションを提供することができる。
【００２６】
第１棒状材Ａは、縦５列×横５行＝２５本が整列して配置されている（図４参照）。すなわち、第１列目の複数の第１棒状材Ａ１１，Ａ１２，Ａ１３，Ａ１４，Ａ１５の各々は第２棒状材Ｂと交互に積層して離間しており、第２棒状材Ｂとは軟性の接着剤や熱による溶着によって接合されている（図１参照）。第１棒状材Ａは、５列に亘って配置されており、複数の第１棒状材Ａ１１，Ａ２１，Ａ３１，Ａ４１，Ａ５１の各々は互いに重ならないように離間しており、第２棒状材Ｂとは軟性の接着剤や熱による溶着によって接合されている（図２参照）。
【００２７】
第２棒状材Ｂは、縦５列×横９列＝４５本が整列して配置されている（図１参照）。すなわち、第１列目の複数の第２棒状材Ｂ１１，Ｂ２１，Ｂ３１，Ｂ４１，Ｂ５１の各々は第１棒状材Ａと交互に積層して離間しており、第１棒状材Ａとは軟性の接着剤や熱による溶着によって接合されている（図１参照）。第２棒状材Ｂは、９行に亘って配置されており、複数の第２棒状材Ｂ１１，Ｂ１２，Ｂ１３，・・・，Ｂ１９の各々は互いに重ならないように離間しており、第１棒状材Ａとは軟性の接着剤や熱による溶着によって接合されている（図１参照）。
【００２８】
立体格子状クッション１は、左端は５本の第２棒状材Ｂ１１，Ｂ２１，・・・，Ｂ５１が配置しているが、右端は４本の第２棒状材Ｂ１９，Ｂ３９，Ｂ４９，Ｂ５９が配置しており、右端にかけて第２棒状材の積層数を漸減している。具体的には、第２棒状材のうちＢ２７を間引きすることで右端にかけて湾曲した形状を構成するようにしている。また、右端近傍の第２棒状材Ｂの形状や大きさを他と異ならせて湾曲した形状を構成するようにしている。
【００２９】
同じく、立体格子状クッション１は、左端は５本の第１棒状材Ａ１１，Ａ１２，・・・，Ａ１５が配置しているが、右端は４本の第１棒状材Ａ１１，Ａ１２，Ａ１４，Ａ１５が配置しており、右端にかけて第１棒状材の積層数を漸減している。具体的には、第１棒状材のうちＡ１３の長さを途中までで間引きすることで右端にかけて湾曲した形状を構成するようにしている。また、右端近傍の第１棒状材Ａの形状や大きさを他と異ならせて、例えば右端にかけて厚みを漸減して先細りすることにより、湾曲した形状を構成するようにしている。
【００３０】
図６は、本実施形態に係る立体格子状クッション１に突起物６を装着した様子を示す図である。棒状の突起物６は、身体を押圧するために、先端部は丸味を帯びた半球状（球状）である。また、突起物の他の例としては、図７に示すように、その先端から末端にかけて上面に対して斜面４が形成されている。
【００３１】
突起物２を収容して埋めるには、立体格子状クッション１の最上面に位置する第１棒状材Ａ又は第２棒状材Ｂに突起物収容穴５を形成する。この突起物収容穴５は、第１棒状材Ａ又は第２棒状材Ｂをくり抜いて形成されたものや切り込みを入れて形成されたものなどでよく、必要に応じて接着剤によって突起物２を固着する。
【００３２】
また、メッシュ状の布カバーで立体格子状クッション１を被覆して使用してもよい。メッシュ状の布であるから通気性は確保することができる。
【００３３】
立体格子状クッション１は、右端に肩部を、湾曲した形状に沿って背部，腰部，臀部等の身体を位置させるように使用者が仰臥位を取る。一例として、左半身に立体格子状クッション１を位置させて右向きの姿勢を取ることができ、右半身に立体格子状クッション１を位置させて左向きの姿勢を取ることができる。使用例としては、就寝時の（介護用）クッション、着座時のマットレス、敷物などが挙げられる。
【００３４】
［第２の例］
図９は、本実施形態に係る立体格子状クッション２の外観斜視図であり、全体的に矩形を呈している。立体格子状クッション２は、図９を参照して、図示左右方向（第１の方向）に連なる第１棒状材Ａと、図示上下方向（第２の方向）に連なる第２棒状材Ｂと、が交互に積層して格子状に構成される。複数の第１棒状材Ａは離間して配置され、複数の第２棒状材Ｂは離間して配置される。また、左右両側に位置する２つの第２棒状材Ｂの間には、格子間の隙間を埋める格子体Ｃが離間して配置されており、端側に荷重負荷がかかり接着面が剥離して素材がちぎれたり崩れたりすることから、格子体Ｃによって型崩れを防止している。なお、各棒状材や格子体についての素材や材質は前述した通りである。
【００３５】
立体格子状クッション２は、第１棒状材Ａ及び第２棒状材Ｂの積層間にワイヤーネット７を固着して配置している。ワイヤーネット７は、立体格子状クッション２の厚み方向中央側に配置すればよく、図９に示す３層の立体格子状クッション２では、第１層と第２層の間及び第２層と第３層の間の２箇所にワイヤーネット７を配置している。例えば、５層の立体格子状クッションでは、第２層と第３層との間及び／又は第３層と第４層との間にワイヤーネット７を配置する。
【００３６】
ワイヤーネット７は各棒状材よりも耐潰性に優れていて、全体的に荷重を受け止めることから、適度な位置で使用者を受け止めることで体圧分散性を効果的に発揮するとともに、使用者を受け止める時点で直ちに分散がおきることから、使用者の自重によって立体格子状クッション２が深く沈み込むことがない。また、立体格子状クッション２の端側は使用頻度により破損しやすい可能性があることから、ワイヤーネット７によって立体格子状クッション２の強度を上げて破損を防止することができる。なお、棒状材の積層数が少ない（３層〜５層）ものである場合は、全体的に荷重を受け止めるワイヤーネット７を用いる方が好適である。
【００３７】
［第３の例］
図１０は、本実施形態に係る立体格子状クッション３の外観斜視図であり、略直角三角形を呈している。立体格子状クッション３は、図１０を参照して、図示左右方向（第１の方向）に連なる第１棒状材Ａと、図示上下方向（第２の方向）に連なる第２棒状材Ｂと、が交互に積層して格子状に構成される。複数の第１棒状材Ａは離間して配置され、複数の第２棒状材Ｂは離間して配置される。
【００３８】
立体格子状クッション３は、第１棒状材Ａ及び第２棒状材Ｂの積層間に緩衝材８を固着して配置している。緩衝材８はシート状であり、発泡ポリエチレン、ゴム、プラスチック、シリコンゴム、熱可塑性ポリウレタン樹脂（ＴＰＥ）、硬質ウレタン、ポリ塩化ビニル（ＰＶＣ）など衝撃を吸収できるものである。
【００３９】
緩衝材８は各棒状材よりも耐潰性に優れていて衝撃を和らげることにより部分的に荷重を受け止めることから、使用者の自重によって立体格子状クッション３が深く沈み込むことなく、適度な位置で使用者を受け止めることで体圧分散性を効果的に発揮することができる。また、立体格子状クッション３の端側は使用頻度により破損しやすい可能性があることから、緩衝材８によって立体格子状クッション３の強度を上げて破損を防止することができる。なお、棒状材の積層数が多い（７層〜）ものである場合は、中間層に設置するワイヤーネットでは荷重を受け止めきれないことから、緩衝材８を適所に用いる方が好適である。
【００４０】
以上、各棒状材を積層した第１の例、ワイヤーネット７を積層間に配置した第２の例、緩衝剤８を積層間に配置した第３の例について説明したが、ワイヤーネット７や緩衝剤８を配置する例は適宜当業者が選択することができ、どのような立体格子状クッションの構造であってもよい。
【符号の説明】
【００４１】
１…立体格子状クッション（第１の例）
２…立体格子状クッション（第２の例）
３…立体格子状クッション（第３の例）
４…斜面
５…突起物収容穴
６…突起物
７…ワイヤーネット
８…緩衝材
Ａ…第１棒状材
Ｂ…第２棒状材
【図１】
2020028710.tif 000003
【図２】
2020028710.tif 000004
【図３】
2020028710.tif 000005
【図４】
2020028710.tif 000006
【図５】
2020028710.tif 000007
【図６】
2020028710.tif 000008
【図７】
2020028710.tif 000009
【図８】
2020028710.tif 000010
【図９】
2020028710.tif 000011
【図１０】
2020028710.tif 000012